【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
データに１以上の種類の処理を実行可能な処理実行手段と、
画像を表示可能な表示手段と、
前記表示手段の表示面中でユーザーにより指示された位置を検出する位置検出手段と、
データを識別するための第１画像を前記表示手段に表示する第１画像表示手段と、
前記位置検出手段により検出される位置に基づいて、前記表示手段に表示された前記第１画像により識別されるデータを処理対象である処理対象データとして選択するデータ選択手段と、
前記データ選択手段により前記処理対象データが選択されることに応じて、前記処理対象データを識別するための前記第１画像に対応するクローン画像を前記位置検出手段により検出される位置に配置して前記表示手段に表示するクローン画像表示手段と、
前記データ選択手段により前記処理対象データが選択された後、前記位置検出手段により位置が連続して検出されている間、前記位置検出手段により検出さる位置に前記クローン画像を配置して前記表示手段に表示することによって、前記クローン画像を移動させるクローン画像移動手段と、
前記データ選択手段により前記処理対象データが選択されることに応じて、前記処理対象データに対して前記処理実行手段が実行可能な１以上の種類の処理それぞれの実行履歴に基づいて、実行回数が多い処理から順に１以上の種類の処理を選択し、選択された１以上の種類の処理をそれぞれ識別するための１以上の第２画像を、前記第１画像が表示されている位置を基準に定まる位置に、前記クローン画像の横方向の長さよりも長い間隔で横方向に並べて配置して前記表示手段に表示する第２画像表示手段と、
前記クローン画像移動手段により表示される前記クローン画像が、前記１以上の第２画像のいずれかと所定の相対的な位置関係となる場合、前記１以上の第２画像のうち前記クローン画像と所定の相対的な位置関係となる第２画像により識別される処理を、候補処理に決定する候補処理決定手段と、
前記クローン画像が前記候補処理を識別するための第２画像と所定の相対的な位置関係となった状態で、前記位置検出手段により位置が検出されなくなる場合、前記候補処理を前記処理対象データに対して前記処理実行手段が実行する実行処理に決定する実行処理決定手段と、を備えたデータ処理装置。
【請求項２】
データに、複数のモードに分類された１以上の種類の処理を実行可能な処理実行手段と、
画像を表示可能な表示手段と、
前記表示手段の表示面中でユーザーにより指示された位置を検出する位置検出手段と、
データを識別するための第１画像を前記表示手段に表示する第１画像表示手段と、
前記位置検出手段により検出される位置に基づいて、前記表示手段に表示された前記第１画像により識別されるデータを処理対象である処理対象データとして選択するデータ選択手段と、
前記データ選択手段により前記処理対象データが選択されることに応じて、前記処理対象データを識別するための前記第１画像に対応するクローン画像を前記位置検出手段により検出される位置に配置して前記表示手段に表示するクローン画像表示手段と、
前記データ選択手段により前記処理対象データが選択された後、前記位置検出手段により位置が連続して検出されている間、前記位置検出手段により検出さる位置に前記クローン画像を配置して前記表示手段に表示することによって、前記クローン画像を移動させるクローン画像移動手段と、
前記データ選択手段により前記処理対象データが選択されることに応じて、前記複数のモードのいずれかが選択される場合に、前記選択されたモードに対応する１以上の種類の処理をそれぞれ識別するための１以上の第２画像を、前記第１画像が表示されている位置を基準に定まる位置に、前記クローン画像の横方向の長さよりも長い間隔で横方向に並べて配置して前記表示手段に表示する第２画像表示手段と、
前記クローン画像移動手段により表示される前記クローン画像が、前記１以上の第２画像のいずれかと所定の相対的な位置関係となる場合、前記１以上の第２画像のうち前記クローン画像と所定の相対的な位置関係となる第２画像により識別される処理を、候補処理に決定する候補処理決定手段と、
前記クローン画像が前記候補処理を識別するための第２画像と所定の相対的な位置関係となった状態で、前記位置検出手段により位置が検出されなくなる場合、前記候補処理を前記処理対象データに対して前記処理実行手段が実行する実行処理に決定する実行処理決定手段と、を備えたデータ処理装置。
【請求項３】
前記第２画像表示手段は、前記第２画像を２つ表示する場合、前記第１画像が表示されている位置より上方に配置する、請求項１または２に記載のデータ処理装置。
【請求項４】
前記第２画像表示手段は、前記２つの第２画像を、前記クローン画像の横方向の長さよりも長い間隔で横方向に並べて配置する、請求項３に記載にデータ処理装置。
【請求項５】
前記第２画像表示手段は、３つ以上の前記第２画像を表示する場合、前記３つ以上の第２画像の３以上が同一の直線上に並ばない位置であって、前記第１画像の下方を除く位置に配置する、請求項１または２に記載のデータ処理装置。
【請求項６】
前記第２画像表示手段は、前記１以上の第２画像を、前記処理対象データを識別するための前記第１画像の位置からの方向が異なる位置であって、前記第１画像の下方を除く位置に配置する、請求項１または２に記載のデータ処理装置。
【請求項７】
前記第２画像表示手段は、前記候補処理決定手段により候補処理が決定されている間、前記候補処理を識別するための前記第２画像を、前記候補処理決定手段により候補処理に決定される前よりもサイズを拡大して表示する拡大手段を含む、請求項１〜６のいずれかに記載のデータ処理装置。
【請求項８】
前記第２画像表示手段は、前記候補処理決定手段により候補処理が決定されている間、前記候補処理を識別するための識別情報を前記第２画像と並べて表示する識別情報表示手段を含む、請求項１〜７のいずれかに記載のデータ処理装置。
【請求項９】
前記第２画像表示手段は、前記第１画像表示手段により複数のデータをそれぞれ識別するための複数の第１画像が前記表示手段に表示されている場合、前記データ選択手段により選択された前記処理対象データに対して前記処理実行手段が実行可能な１以上の処理をそれぞれ識別するための１以上の第２画像を、前記複数の第１画像と重ならない位置に表示する、請求項１〜８のいずれかに記載のデータ処理装置。
【請求項１０】
データ処理装置を制御するコンピュータで実行される設定プログラムであって、
前記データ処理装置は、データに１以上の種類の処理を実行可能な処理実行手段と、
画像を表示可能な表示手段と、を備えており、
前記表示手段の表示面中でユーザーにより指示された位置を検出する位置検出ステップと、
データを識別するための第１画像を前記表示手段に表示する第１画像表示ステップと、
前記位置検出ステップにおいて検出される位置に基づいて、前記表示手段に表示された前記第１画像により識別されるデータを処理対象である処理対象データとして選択するデータ選択ステップと、
前記データ選択ステップにおいて前記処理対象データが選択されることに応じて、前記処理対象データを識別するための前記第１画像に対応するクローン画像を前記位置検出ステップにおいて検出される位置に配置して前記表示手段に表示するクローン画像表示ステップと、
前記データ選択ステップにおいて前記処理対象データが選択された後、前記位置検出ステップにおいて位置が連続して検出されている間、前記位置検出ステップにおいて検出さる位置に前記クローン画像を配置して前記表示手段に表示することによって、前記クローン画像を移動させるクローン画像移動ステップと、
前記データ選択ステップにおいて前記処理対象データが選択されることに応じて、前記処理対象データに対して前記処理実行手段が実行可能な１以上の種類の処理それぞれの実行履歴に基づいて、実行回数が多い処理から順に１以上の種類の処理を選択し、選択された１以上の種類の処理をそれぞれ識別するための１以上の第２画像を、前記第１画像が表示されている位置を基準に定まる位置に、前記クローン画像の横方向の長さよりも長い間隔で横方向に並べて配置して前記表示手段に表示する第２画像表示ステップと、
前記クローン画像移動ステップにおいて表示される前記クローン画像が、前記１以上の第２画像のいずれかと所定の相対的な位置関係となる場合、前記１以上の第２画像のうち前記クローン画像と所定の相対的な位置関係となる第２画像により識別される処理を、候補処理に決定する候補処理決定ステップと、
前記クローン画像が前記候補処理を識別するための第２画像と所定の相対的な位置関係となった状態で、前記位置検出ステップにおいて位置が検出されなくなる場合、前記候補処理を前記処理対象データに対して前記処理実行手段が実行する実行処理に決定する実行処理決定ステップと、を前記コンピュータに実行させる設定プログラム。
【請求項１１】
データ処理装置を制御するコンピュータで実行される設定プログラムであって、
前記データ処理装置は、データに、複数のモードに分類された１以上の種類の処理を実行可能な処理実行手段と、
画像を表示可能な表示手段と、を備えており、
前記表示手段の表示面中でユーザーにより指示された位置を検出する位置検出ステップと、
データを識別するための第１画像を前記表示手段に表示する第１画像表示ステップと、
前記位置検出ステップにおいて検出される位置に基づいて、前記表示手段に表示された前記第１画像により識別されるデータを処理対象である処理対象データとして選択するデータ選択ステップと、
前記データ選択ステップにおいて前記処理対象データが選択されることに応じて、前記処理対象データを識別するための前記第１画像に対応するクローン画像を前記位置検出ステップにおいて検出される位置に配置して前記表示手段に表示するクローン画像表示ステップと、
前記データ選択ステップにおいて前記処理対象データが選択された後、前記位置検出ステップにおいて位置が連続して検出されている間、前記位置検出ステップにおいて検出さる位置に前記クローン画像を配置して前記表示手段に表示することによって、前記クローン画像を移動させるクローン画像移動ステップと、
前記データ選択ステップにおいて前記処理対象データが選択されることに応じて、前記複数のモードのいずれかが選択される場合に、前記選択されたモードに対応する１以上の種類の処理をそれぞれ識別するための１以上の第２画像を、前記第１画像が表示されている位置を基準に定まる位置に、前記クローン画像の横方向の長さよりも長い間隔で横方向に並べて配置して前記表示手段に表示する第２画像表示ステップと、
前記クローン画像移動ステップにおいて表示される前記クローン画像が、前記１以上の第２画像のいずれかと所定の相対的な位置関係となる場合、前記１以上の第２画像のうち前記クローン画像と所定の相対的な位置関係となる第２画像により識別される処理を、候補処理に決定する候補処理決定ステップと、
前記クローン画像が前記候補処理を識別するための第２画像と所定の相対的な位置関係となった状態で、前記位置検出ステップにおいて位置が検出されなくなる場合、前記候補処理を前記処理対象データに対して前記処理実行手段が実行する実行処理に決定する実行処理決定ステップと、を前記コンピュータに実行させる設定プログラム。
【手続補正２】
【補正対象書類名】明細書
【補正対象項目名】０００８
【補正方法】変更
【補正の内容】
【０００８】
上述した目的を達成するためにこの発明のある局面によれば、データ処理装置は、データに１以上の種類の処理を実行可能な処理実行手段と、画像を表示可能な表示手段と、表示手段の表示面中でユーザーにより指示された位置を検出する位置検出手段と、データを識別するための第１画像を表示手段に表示する第１画像表示手段と、位置検出手段により検出される位置に基づいて、表示手段に表示された第１画像により識別されるデータを処理対象である処理対象データとして選択するデータ選択手段と、データ選択手段により処理対象データが選択されることに応じて、処理対象データを識別するための第１画像に対応するクローン画像を位置検出手段により検出される位置に配置して表示手段に表示するクローン画像表示手段と、データ選択手段により処理対象データが選択された後、位置検出手段により位置が連続して検出されている間、位置検出手段により検出さる位置にクローン画像を配置して表示手段に表示することによって、クローン画像を移動させるクローン画像移動手段と、データ選択手段により処理対象データが選択されることに応じて、処理対象データに対して処理実行手段が実行可能な１以上の種類の処理それぞれの実行履歴に基づいて、実行回数が多い処理から順に1以上の種類の処理を選択し、選択された１以上の種類の処理をそれぞれ識別するための１以上の第２画像を、第１画像が表示されている位置を基準に定まる位置に、前記クローン画像の横方向の長さよりも長い間隔で横方向に並べて配置して表示手段に表示する第２画像表示手段と、クローン画像移動手段により表示されるクローン画像が、１以上の第２画像のいずれかと所定の相対的な位置関係となる場合、１以上の第２画像のうちクローン画像と所定の相対的な位置関係となる第２画像により識別される処理を、候補処理に決定する候補処理決定手段と、クローン画像が候補処理を識別するための第２画像と所定の相対的な位置関係となった状態で、位置検出手段により位置が検出されなくなる場合、候補処理を処理対象データに対して処理実行手段が実行する実行処理に決定する実行処理決定手段と、を備える。
【手続補正３】
【補正対象書類名】明細書
【補正対象項目名】０００９
【補正方法】変更
【補正の内容】
【０００９】
この局面に従えば、データを識別するための第１画像が表示され、表示面中でユーザーにより指示された位置に基づいて、第１画像により識別されるデータが処理対象データとして選択されるとともに、第１画像に対応するクローン画像が表示され、さらに、処理対象データが選択されることに応じて、処理対象データに対して実行可能な１以上の種類の処理それぞれの実行履歴に基づいて、実行回数が多い処理から順に１以上の種類の処理を選択し、選択された１以上の種類の処理をそれぞれ識別するための１以上の第２画像が、第１画像が表示されている位置を基準に定まる位置に、クローン画像の横方向の長さよりも長い間隔で横方向に並べて配置して表示され、ユーザーにより指示された位置が連続して検出されている間、クローン画像が移動され、クローン画像が１以上の第２画像のいずれかと所定の相対的な位置関係となる場合、クローン画像と所定の相対的な位置関係となる第２画像により識別される処理が候補処理に決定され、ユーザーにより指示された位置が検出されなくなる場合、候補処理が処理対象データに対して実行する実行処理に決定される。このため、処理対象データが選択されることに応じて、クローン画像が表示されるとともに、１以上の第２画像が、第１画像が表示されている位置を基準に定まる位置に、クローン画像の横方向の長さよりも長い間隔で横方向に並べて配置して表示されるので、クローン画像が、２以上の第２画像と同時に重ならないようにすることができ、クローン画像を、１以上の第２画画像のいずれかと所定の相対的な位置関係となる位置に移動させる操作が容易となる。このため、データの指定と、そのデータに対して実行する処理を指定する操作を、１回の操作ですることができる。その結果、データに対して実行する処理を指定する操作を容易にしたデータ処理装置を提供することができる。
この発明の他の局面によれば、データ処理装置は、データに、複数のモードに分類された１以上の種類の処理を実行可能な処理実行手段と、画像を表示可能な表示手段と、表示手段の表示面中でユーザーにより指示された位置を検出する位置検出手段と、データを識別するための第１画像を表示手段に表示する第１画像表示手段と、位置検出手段により検出される位置に基づいて、表示手段に表示された第１画像により識別されるデータを処理対象である処理対象データとして選択するデータ選択手段と、データ選択手段により処理対象データが選択されることに応じて、処理対象データを識別するための第１画像に対応するクローン画像を位置検出手段により検出される位置に配置して表示手段に表示するクローン画像表示手段と、データ選択手段により処理対象データが選択された後、位置検出手段により位置が連続して検出されている間、位置検出手段により検出さる位置にクローン画像を配置して表示手段に表示することによって、クローン画像を移動させるクローン画像移動手段と、データ選択手段により処理対象データが選択されることに応じて、複数のモードのいずれかが選択される場合に、選択されたモードに対応する１以上の種類の処理をそれぞれ識別するための１以上の第２画像を、第１画像が表示されている位置を基準に定まる位置に、クローン画像の横方向の長さよりも長い間隔で横方向に並べて配置して表示手段に表示する第２画像表示手段と、クローン画像移動手段により表示されるクローン画像が、１以上の第２画像のいずれかと所定の相対的な位置関係となる場合、１以上の第２画像のうちクローン画像と所定の相対的な位置関係となる第２画像により識別される処理を、候補処理に決定する候補処理決定手段と、クローン画像が候補処理を識別するための第２画像と所定の相対的な位置関係となった状態で、位置検出手段により位置が検出されなくなる場合、候補処理を処理対象データに対して処理実行手段が実行する実行処理に決定する実行処理決定手段と、を備える。
【手続補正４】
【補正対象書類名】明細書
【補正対象項目名】００１０
【補正方法】変更
【補正の内容】
【００１０】
好ましくは、第２画像表示手段は、第２画像を２つ表示する場合、第１画像が表示されている位置より上方に配置する。
【手続補正５】
【補正対象書類名】明細書
【補正対象項目名】００１１
【補正方法】変更
【補正の内容】
【００１１】
この局面に従えば、２つの第２画像が、第１画像が表示されている位置より上方に配置されるので、第１画像を指示するユーザーの手によってユーザーの視界が遮られて、ユーザーが２つの第２画像を見ることができなくなるのを防止することができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１５
【補正方法】変更
【補正の内容】
【００１５】
好ましくは、第２画像表示手段は、３つ以上の第２画像を表示する場合、３つ以上の第２画像の３以上が同一の直線上に並ばない位置であって、第１画像の下方を除く位置に配置する。
【手続補正９】
【補正対象書類名】明細書
【補正対象項目名】００１６
【補正方法】変更
【補正の内容】
【００１６】
この局面に従えば、３つ以上の第２画像が、３つ以上の第２画像の３以上が同一の直線上に並ばない位置に配置されるから、３つ以上の第２画像が、第１画像からの方向が異なるように配置することができる。また、３つ以上の第２画像が第１画像の下方を除く位置に配置されるので、第１画像を指示するユーザーの手によってユーザーの視界が遮られて、ユーザーが３つ以上の第２画像を見ることができなくなるのを防止することができる。
【手続補正１０】
【補正対象書類名】明細書
【補正対象項目名】００１７
【補正方法】変更
【補正の内容】
【００１７】
好ましくは、第２画像表示手段は、１以上の第２画像を、処理対象データを識別するための第１画像の位置からの方向が異なる位置であって、第１画像の下方を除く位置に配置する。
【手続補正１１】
【補正対象書類名】明細書
【補正対象項目名】００１８
【補正方法】変更
【補正の内容】
【００１８】
この局面に従えば、１つ以上の第２画像が、第１画像の位置からの方向が異なる位置に配置されるから、ユーザは、１つ以上の第２画像のいずれかを選択するために、指を移動させる操作の方向を異なるようにすればよく、操作が容易となる。また、１つ以上の第２画像が第１画像の下方を除く位置に配置されるので、第１画像を指示するユーザーの手によってユーザーの視界が遮られて、ユーザーが３つ以上の第２画像を見ることができなくなるのを防止することができる。
【手続補正１２】
【補正対象書類名】明細書
【補正対象項目名】００１９
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】変更
【補正の内容】
【００２８】
この発明のさらに他の局面に従えば、設定プログラムは、データ処理装置を制御するコンピュータで実行される設定プログラムであって、データ処理装置は、データに１以上の種類の処理を実行可能な処理実行手段と、画像を表示可能な表示手段と、を備えており、表示手段の表示面中でユーザーにより指示された位置を検出する位置検出ステップと、データを識別するための第１画像を表示手段に表示する第１画像表示ステップと、位置検出ステップにおいて検出される位置に基づいて、表示手段に表示された第１画像により識別されるデータを処理対象である処理対象データとして選択するデータ選択ステップと、データ選択ステップにおいて処理対象データが選択されることに応じて、処理対象データを識別するための第１画像に対応するクローン画像を位置検出ステップにおいて検出される位置に配置して表示手段に表示するクローン画像表示ステップと、データ選択ステップにおいて処理対象データが選択された後、位置検出ステップにおいて位置が連続して検出されている間、位置検出ステップにおいて検出さる位置にクローン画像を配置して表示手段に表示することによって、クローン画像を移動させるクローン画像移動ステップと、データ選択ステップにおいて処理対象データが選択されることに応じて、処理対象データに対して処理実行手段が実行可能な１以上の種類の処理それぞれの実行履歴に基づいて、実行回数が多い処理から順に１以上の種類の処理を選択し、選択された１以上の種類の処理をそれぞれ識別するための１以上の第２画像を、第１画像が表示されている位置を基準に定まる位置に、前記クローン画像の横方向の長さよりも長い間隔で横方向に並べて配置して表示手段に表示する第２画像表示ステップと、クローン画像移動ステップにおいて表示されるクローン画像が、１以上の第２画像のいずれかと所定の相対的な位置関係となる場合、１以上の第２画像のうちクローン画像と所定の相対的な位置関係となる第２画像により識別される処理を、候補処理に決定する候補処理決定ステップと、クローン画像が候補処理を識別するための第２画像と所定の相対的な位置関係となった状態で、位置検出ステップにおいて位置が検出されなくなる場合、候補処理を処理対象データに対して処理実行手段が実行する実行処理に決定する実行処理決定ステップと、をコンピュータに実行させる。
【手続補正１６】
【補正対象書類名】明細書
【補正対象項目名】００２９
【補正方法】変更
【補正の内容】
【００２９】
この局面に従えば、データに対して実行する処理を指定する操作を容易にした設定プログラムを提供することができる。
この発明のさらに他の局面に従えば、設定プログラムは、データ処理装置を制御するコンピュータで実行される設定プログラムであって、データ処理装置は、データに、複数のモードに分類された１以上の種類の処理を実行可能な処理実行手段と、画像を表示可能な表示手段と、を備えており、表示手段の表示面中でユーザーにより指示された位置を検出する位置検出ステップと、データを識別するための第１画像を表示手段に表示する第１画像表示ステップと、位置検出ステップにおいて検出される位置に基づいて、表示手段に表示された第１画像により識別されるデータを処理対象である処理対象データとして選択するデータ選択ステップと、データ選択ステップにおいて処理対象データが選択されることに応じて、処理対象データを識別するための第１画像に対応するクローン画像を位置検出ステップにおいて検出される位置に配置して表示手段に表示するクローン画像表示ステップと、データ選択ステップにおいて処理対象データが選択された後、位置検出ステップにおいて位置が連続して検出されている間、位置検出ステップにおいて検出さる位置にクローン画像を配置して表示手段に表示することによって、クローン画像を移動させるクローン画像移動ステップと、データ選択ステップにおいて処理対象データが選択されることに応じて、複数のモードのいずれかが選択される場合に、選択されたモードに対応する１以上の種類の処理をそれぞれ識別するための１以上の第２画像を、第１画像が表示されている位置を基準に定まる位置に配置して表示手段に表示する第２画像表示ステップと、クローン画像移動ステップにおいて表示されるクローン画像が、１以上の第２画像のいずれかと所定の相対的な位置関係となる場合、１以上の第２画像のうちクローン画像と所定の相対的な位置関係となる第２画像により識別される処理を、候補処理に決定する候補処理決定ステップと、クローン画像が候補処理を識別するための第２画像と所定の相対的な位置関係となった状態で、位置検出ステップにおいて位置が検出されなくなる場合、候補処理を処理対象データに対して処理実行手段が実行する実行処理に決定する実行処理決定ステップと、をコンピュータに実行させる。